(57)【要約】【課題】スピニングリールのリール本体において、カバー部材を設けても軽量化を図れるようにする。【解決手段】スピニングリールのリール本体２は、筐体部１０と、第１蓋部１１と、第２蓋部１２と、竿取付部１３と、カバー部材１４とを備えている。筐体部は、内部に駆動機構を収納支持するための収納空間１０ａを形成し得る。第１蓋部は、筐体部の一面のマスターギアを覆う第１カバー部１１ａ及び第１カバー部以外の一面を露出する第１切欠き部１１ｂを有し、筐体部の一面に着脱自在に固定される。第２蓋部は、筐体部の他面のマスターギアを覆う第２カバー部１２ａ及び第２カバー部以外の他面を露出する第２切欠き部１２ｂを有し、筐体部の他面に着脱自在に固定される。竿取付部は、筐体部に一体形成され、釣り竿に取付可能である。カバー部材は、両蓋部を筐体部に装着した状態で両蓋部の両切欠き部を覆う。【選択図】      図４
2004236568.tif 000002
【特許請求の範囲】
【請求項１】
釣り竿に装着可能であり、マスターギアを介してハンドルの回転を糸巻取用のロータ及び糸巻用のスプールに伝達して釣り糸を前記スプールに巻き取るスピニングリールのリール本体であって、
内部に前記スプール及び前記ロータを駆動するための駆動機構を収納支持するための機構収納空間を形成し得る筐体部と、
前記筐体部の一面の少なくとも前記マスターギア配置部分を覆う第１カバー部及び前記第１カバー部以外の前記一面を露出する第１切欠き部を有し、前記筐体部の前記一面に着脱自在に固定される第１蓋部と、
前記筐体部の他面に着脱自在に固定される第２蓋部と、
前記筐体部及び第１蓋部のいずれかに一体形成され、前記釣り竿に取付可能な竿取付部と、
前記両蓋部を前記筐体部に装着した状態で前記両蓋部の少なくとも前記両切欠き部を覆うカバー部材と、
を備えたスピニングリールのリール本体。
【請求項２】
前記第２蓋部は、前記筐体部の前記他面の少なくとも前記マスターギア配置部分を覆う第２カバー部及び前記第２カバー部以外の他面を露出する第２切欠き部を有する、請求項１に記載のスピニングリールのリール本体。
【請求項３】
前記筐体部はマグネシウム合金製であり、前記第１蓋部はアルミニウム合金製であり、前記第２蓋部は合成樹脂製である、請求項１又は２に記載のスピニングリールのリール本体。
【請求項４】
前記第１及び第２蓋体部は、前記筐体部に複数本のビスにより固定され、
前記ビスの少なくともひとつは、前記駆動機構の固定に用いられる、請求項１から３のいずれかに記載のスピニングリールのリール本体。
【請求項５】
釣り竿に装着可能であり、マスターギアを介してハンドルの回転を糸巻取用のロータ及び糸巻用のスプールに伝達して釣り糸を前記スプールに巻き取るスピニングリールのリール本体であって、
内部に前記スプール及び前記ロータを駆動するための駆動機構を収納支持するための機構収納空間を形成し得る筐体部と、
前記筐体部の一面の少なくとも前記マスターギア配置部分を覆う第１カバー部及び前記第１カバー部以外の前記一面を露出する第１切欠き部を有し、前記マスターギアが近接して配置され前記マスターギアの背面側で前記マスターギアの回転軸を支持し前記筐体部の前記一面に着脱自在に固定される第１蓋部と、
前記筐体部の他面の少なくとも前記マスターギア配置部分を覆う第２カバー部及び前記第２カバー部以外の前記他面を露出する第２切欠き部を有し、前記筐体部の前記他面に配置され前記筐体部と一体形成された第２蓋部と、
前記筐体部及び第１蓋部のいずれかに一体形成され、前記釣り竿に取付可能な竿取付部と、
前記第１蓋部を前記筐体部に装着した状態で前記両蓋部の少なくとも前記両切欠き部を覆うカバー部材と、
を備えたスピニングリールのリール本体。
【請求項６】
前記第１及び第２蓋部は、前記マスターギアの回転軸の両端部をそれぞれ支持する第１及び第２軸支持部を有する、請求項１から５のいずれかに記載のスピニングリールのリール本体。
【請求項７】
前記第１蓋部は、前記マスターギアの回転軸を片持ち支持する軸支持部を有する、請求項５に記載のスピニングリールのリール本体。
【請求項８】
前記第１蓋部は、アルミニウム合金製であり、前記筐体部及び第２蓋部は合成樹脂製である、請求項７に記載のスピニングリールのリール本体。
【請求項９】
前記竿取付部は、前記筐体部と一体形成されている、請求項１から８のいずれかに記載のスピニングリールのリール本体。
【請求項１０】
前記竿取付部は、前記第１蓋部と一体形成されている、請求項１から７のいずれかに記載のスピニングリールのリール本体。
【請求項１１】
前記カバー部材は、前記筐体部の後部から底部にかけて装着されている、請求項１から９のいずれかに記載のスピニングリールのリール本体。
【請求項１２】
前記カバー部材は合成樹脂製である、請求項１から１０のいずれかに記載のスピニングリールのリール本体。
【発明の詳細な説明】
【０００１】
【発明の属する技術分野】
本発明は、リール本体、特に、釣り竿に装着可能であり、マスターギアを介してハンドルの回転を糸巻取用のロータ及び糸巻用のスプールに伝達して釣り糸を前記スプールに巻き取るスピニングリールのリール本体に関する。
【０００２】
【従来の技術】
スピニングリールのリール本体として、釣り竿に装着可能な竿取付部と、竿取付部が一体形成されたリールボディとリールボディに着脱自在に取り付けられる蓋部とリールボディ及び蓋部の後端側を覆うカバー部材とを備えたものが知られている（たとえば、特許文献１参照）。
【０００３】
この種のリール本体では、リールボディの内部には、マスターギアを含むロータ駆動機構やスプールを前後移動させるオシレーティング機構などの各種の駆動機構が収納支持されている。また蓋部及びリールボディには、マスターギアが設けられたハンドルの回転軸（マスターギア軸）が回転自在に支持されている。
カバー部材は、リールボディに蓋部を装着した状態でその後端下隅部、底面及び背面を覆うように形成されている。カバー部材は、合成樹脂製又は金属製であり、リールボディ及び蓋部材の傷つきを防止して外観を向上させるために設けられている。
【０００４】
【特許文献１】
特開２００２−２１８８７１号公報（貴社のＦ３０６７です）参照。
【０００５】
【発明が解決しようとする課題】
このような構成のスピニングリールのリール本体では、キャスティングしやすくするために軽量化を図ることが求められている。軽量化を図るために、カバー部材を設けないようにすることが考えられる。しかし、カバー部材を設けないと、リール本体の後端部がが傷つきやすくなる。とくに、リール本体の軽量化を図るためにマグネシウム合金製にすると、傷つき部分が腐食しやすくなる。
【０００６】
本発明の課題は、スピニングリールのリール本体において、カバー部材を設けても軽量化を図れるようにすることにある。
【０００７】
【課題を解決するための手段】
発明１に係るスピニングリールのリール本体は、釣り竿に装着可能であり、マスターギアを介してハンドルの回転を糸巻取用のロータ及び糸巻用のスプールに伝達して釣り糸をスプールに巻き取るスピニングリールのリール本体であって、筐体部と、第１蓋部と、第２蓋部と、竿取付部と、カバー部材とを備えている。筐体部は、内部にスプール及びロータを駆動するための駆動機構を収納支持するための機構収納空間を形成し得るものである。第１蓋部は、筐体部の一面の少なくともマスターギア配置部分を覆う第１カバー部及び第１カバー部以外の一面を露出する第１切欠き部を有し、筐体部の一面に着脱自在に固定されるものである。第２蓋部は、筐体部の他面に着脱自在に固定されるものである。竿取付部は、筐体部及び第１蓋部のいずれかに一体形成され、釣り竿に取付可能なものである。カバー部材は、両蓋部を筐体部に装着した状態で両蓋部の少なくとも両切欠き部を覆う部材である。
【０００８】
このリール本体では、リール本体が筐体部と筐体部の両面を覆う第１及び第２蓋部との３分割の部材で構成されている。このうち第１蓋部は、少なくともマスターギア配置部分を覆う第１カバー部と、第１カバー部以外の面を露出させる第１切欠き部とで構成されている。ここでは、カバー部材と第１蓋部とが重複する部分において、比強度を高く維持する必要がある少なくともマスターギア配置部分を除く部分に第１切欠き部を設けているので、第１蓋部を切り欠いた分だけ軽量化を図ることができる。しかもカバー部材で第１切欠き部が覆われているので、リール本体の傷つきも防止できる。
【０００９】
発明２に係るスピニングリールのリール本体は、発明１に記載のリール本体において、舵機２蓋部は、筐体部の他面の少なくともマスターギア配置部分を覆う第２カバー部及び第２カバー部以外の他面を露出する第２切欠き部を有する。この場合には、第２蓋部にも第２切欠き部が設けられているので、第２蓋部を切り欠いた分だけさらに軽量化を図ることができる。
【００１０】
発明３に係るスピニングリールのリール本体は、発明１又は２に記載のリール本体において、筐体部はマグネシウム合金製であり、第１蓋部はアルミニウム合金製であり、第２蓋部は合成樹脂製である。この場合には、筐体部がマグネシウム合金製であるとともに第１蓋部がマグネシウム合金より比強度が高いアルミニウム合金製であるので、比強度を高く維持してさらに軽量化を図ることができる。しかも、腐食しやすい筐体部をカバー部材で覆うとともに、他のものに接触しやすい両蓋部が筐体部に比べて腐食しにくいので、耐食性も向上できる。
【００１１】
発明４に係るスピニングリールのリール本体は、発明１から３のいずれかに記載のリール本体において、第１及び第２蓋体部は、筐体部に複数本のビスにより固定され、ビスの少なくともひとつは、駆動機構の固定に用いられる。この場合には、蓋部を固定するビスにより駆動機構も固定しているので、部品点数を削減できる。
【００１２】
発明５に係るスピニングリールのリール本体は、釣り竿に装着可能であり、マスターギアを介してハンドルの回転をロータ及び糸巻用のスプールに伝達して釣り糸をスプールに巻き取るスピニングリールのリール本体であって、筐体部と、第１蓋部と、第２蓋部と、竿取付部と、カバー部材とを備えている。リールボディは、内部にスプール及びロータを駆動するマスターギアを含む駆動機構を収納支持するための機構収納空間を形成し得るものである。第１蓋部は、マスターギアが近接して配置されマスターギアの背面側でマスターギアの回転軸を支持し筐体部の一面に着脱自在に固定され、筐体部の一面の少なくともマスターギア配置部分を覆う第１カバー部及び第１カバー部以外の一面を露出する第１切欠き部を有するものである。第２蓋部は、筐体部の他面に配置され筐体部と一体形成され、筐体部の他面の少なくともマスターギア配置部分を覆う第２カバー部及び第２カバー部以外の他面を露出する第２切欠き部を有するものである。竿取付部は筐体部及び第１蓋部のいずれかに一体形成され、釣り竿に取付可能なものである。カバー部材は、第１蓋部をリールボディに装着した状態で両蓋部の少なくとも両切欠き部を覆うものである。
【００１３】
このリール本体では、リール本体が筐体部及び第１蓋部を有する筐体部及び第２蓋部と筐体部の一面を覆う第１蓋部との２分割の部材で構成されている。このうち第１及び第２蓋部は、少なくともマスターギア配置部分を覆う第１及び第２カバー部と、第１及び第２カバー部以外の面を露出させる第１及び第２切欠き部とで構成されている。ここでは、カバー部材と第１及び第２蓋部とが重複する部分において、比強度を高く維持する必要がある少なくともマスターギア配置部分を除く部分に第１及び第２切欠き部を設けているので、切り欠いた分だけ軽量化を図ることができる。しかもカバー部材で第１及び第２切欠き部が覆われているので、リール本体の傷つきも防止できる。
【００１４】
発明６に係るスピニングリールのリール本体は、発明１から５のいずれかに記載のリール本体において、第１及び第２蓋部は、マスターギアの回転軸の両端部をそれぞれ支持する第１及び第２軸支持部を有する。この場合には、マスターギアの回転軸の両端部を支持する第１及び第２軸支持部が第１及び第２蓋部に設けられているので、ハンドルをリール本体の左右の何れにも装着できるとともに、マスターギアの回転軸が両端支持されるので、回転軸を支持する構造の剛性を高く維持できる。
【００１５】
発明７に係るスピニングリールのリール本体は、発明１から５のいずれかに記載のリール本体において、第１蓋部は、マスターギアの回転軸を片持ち支持する軸支持部を有する。この場合には、マスターギアの回転軸が片持ち支持されるのでリール本体の回転軸方向の厚みを薄くすることができる。また、回転軸がリール本体を貫通しないので、駆動機構との干渉が減少し駆動機構の配置が容易になる。
【００１６】
発明８に係るスピニングリールのリール本体は、発明７に記載のリール本体において、前記第１蓋部は、アルミニウム合金製であり、筐体部及び第２蓋部は合成樹脂製である。この場合には、さらにリール本体を軽量化ふることができる。
発明９に係るスピニングリールのリール本体は、発明１から８のいずれかに記載のリール本体において、竿取付部は、筐体部と一体形成されている。この場合には、蓋部に挟まれた中心に位置する筐体部と竿取付部が一体形成されているので、左右のバランスが良好になる。
【００１７】
発明１０に係るスピニングリールのリール本体は、発明１から８のいずれかに記載のリール本体において、竿取付部は、第１蓋部と一体形成されている。この場合には、厚肉の竿取付部が第１蓋部と一体形成されるので、筐体部の肉厚変化が少なくなる。このため、筐体部を樹脂や金属の成形品とした場合の肉厚変動によるひけなどの変形を容易に防止できる。
【００１８】
発明１１に係るスピニングリールのリール本体は、発明１から１０のいずれかに記載のリール本体において、カバー部材は、筐体部の後部から底部にかけて装着されている。この場合には、筐体部の後部から底部にかけてカバー部材が装着されているので、リールを置いたときに接触しやすい部分がカバー部材により保護され、筐体部を軽量で腐食しやすい金属製にしても筐体部が傷つきにくくなる。
【００１９】
発明１２に係るスピニングリールのリール本体は、発明１から１１のいずれかに記載のリール本体において、カバー部材は合成樹脂製である、この場合には、カバー部材が合成樹脂製であるので、カバー部材の軽量化を図ることができるとともに、筐体部や第１及び第２蓋部を金属製にしてそれらと接触しても電解腐食が生じない。
【００２０】
【発明の実施の形態】
図１から図３において、本発明の一実施形態によるスピニングリールは、ハンドル１を有し、釣り竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００２１】
リール本体２は、内部にロータ駆動機構５とオシレーティング機構６とを収納している。リール本体２は、図１から図４に示すように、両側が開口する筐体部１０と、筐体部１０の両側をそれぞれ塞ぐ第１及び第２蓋部１１，１２と、筐体部１０に一体形成された竿取付部１３と、筐体部１０及び両蓋部１１，１２を後方から覆うカバー部材１４とを有している。
【００２２】
筐体部１０は、たとえば表面に陽極酸化被膜が形成されたマグネシウム合金製の軽量かつ比強度を維持可能な部材であり、ロータ駆動機構５やオシレーティング機構６を収納支持するための収納空間１０ａを形成し得る両面が開口した枠状の部材である。筐体部１０は、奥行き（図３紙面直交方向）がほぼ同じ寸法で形成されたものである。筐体部１０の前面には、逆転防止機構のワンウェイクラッチ（後述）やピニオンギア（後述）などが装着される円板状の機構支持部１０ｂが形成されている。後部には、逆転防止機構の切換操作部（後述）が支持される操作支持部１０ｃが形成されている。また、機構支持部１０ｂの後方には、ピニオンギア及び切換操作部を支持するための中間支持部１０ｄが上部から下方に向けて延びている。
【００２３】
第１蓋部１１は、比強度及び耐食性を高く維持可能なアルミニウム合金製の部材であり、筐体部１０の一面を覆うように形成されている。第１蓋部１１は、図２に示すように、マスターギア７に近接して配置されている。第１蓋部１１は、図１及び図４から明らかなように、筐体部１０の一面側の開口のうち、ハンドル１の回転により回転するマスターギア７を覆う第１カバー部１１ａと、第１カバー部１１ａから後方（図１に破線で示した部分より後方）の開口が露出する第２切欠き部１１ｂとを有している。このような第２切欠き部１１ｂを設けたのは、第１蓋部１１とカバー部材１４との重複部分を可及的に少なくして軽量化を図るためである。
【００２４】
また、第１蓋部１１には、図２及び図４に示すように、マスターギア７が設けられたマスターギア軸８の一端をマスターギア７の背面側で支持する第１ボス部１１ｃが壁面の略中央部分に外方に突出して形成されている。また、第１蓋部１１の前部には、ロータ３の内部に入り込む円板部を構成する略半円形の第１フランジ部１１ｄが形成されている。第１フランジ部１１ｄの前部には、機構支持部１０ｂの後面に配置され機構支持部１０ｂの外周面と略面一に構成される略半円弧状の第１機構収納カバー１１ｅが形成されている。第１蓋部１１にはマスターギア７が近接して配置されているため、マスターギア軸８に大きな負荷が作用したとき、第１ボス部１１ｃには大きな力が作用しやすい。そこで、第１蓋部１１は比強度を高く維持するために金属製にしてある。第１蓋部１１の前下部には、カバー部材１４を装着するとともに、洗浄時の水抜きやグリースの充填などのメンテナンスを行うための第１ねじ孔１１ｆが形成されている。
【００２５】
第２蓋部１２は、第１蓋部１１と略対称な鏡像関係の形状であり、第２カバー部１２ａ、第２切欠き部１２ｂ、第２ボス部１２ｃ、第１フランジ部１１ｄと略鏡像関係の形状の第２フランジ部１２ｄ、及び機構収納カバー１２ｅが形成されている。また第２ねじ孔１２ｆ（図２）も第１ねじ孔１１ｆと対向する位置に形成されている。第１及び第２フランジ部１１ｄ，１２ｄは、筐体部１０の機構支持部１０ｂ後面の外周面とで円形を構成するように形成されている。この円形部分がロータ３の後面に僅かな隙間ではまり込むように構成されている。第２蓋部１２はマスターギア７から比較的遠くに配置されているため、第２ボス部１２ｃには大きな力は作用しにくい。したがって、軽量化を図るために、たとえばナイロン６６などの合成樹脂製としている。第２ボス部１２ｃは、マスターギア軸８の他端を支持するために第２蓋部１２の壁面の第１ボス部１１ｃと対向する略中央部分に外方に突出して形成されている。
【００２６】
なお、両蓋部１１，１２はたとえば丸頭ビスのような固定ねじ１９により、筐体部１０に固定されている。この蓋部１１，１２の固定方法は、種々の変形例が考えられ、たとえば、筐体部１０を貫通させて一方の蓋部から他方の蓋部にねじ込むように固定してもよい。
竿取付部１３は、筐体部１０から上方に延びるＴ字形状の部材であり、先端に形成された前後に延びるリール脚１３ａが釣り竿にリールシート（図示せず）に装着可能である。なお、竿取付部１３は軽量化及び肉厚の均一化を図るために上面及び前面に肉盗み部１３ｂ，１３ｃがそれぞれ形成されている。
【００２７】
カバー部材１４は、第１及び第２蓋部１１，１２を装着した状態の筐体部１０を後方から側部及び底部を覆うように湾曲して形成されている。カバー部材１４は、第１及び第２蓋部１１，１２の後端部に形成された第１及び第２切欠き部１１ｂ，１２ｂを塞ぐととも、リール本体２の後端角部を含む側面及び後面の傷付きを防止するために設けられている。カバー部材１４は、ＡＢＳ樹脂等の比較的硬質の合成樹脂製であり、表面に金属めっきを施している。カバー部材１４は、前端側部の第１及び第２ねじ孔１１ｅ，１２ｅに対向する位置に段付きのねじ装着孔１４ａ，１４ｂが形成されている。このねじ装着孔１４ａ，１４ｂに第１及び第２ねじ孔１１ｆ，１２ｆにねじ込まれるねじ部材１４ｃが装着されカバー部材１４を両蓋部１１，１２に固定するとともにメンテナンス時にあけることができるようになっている。カバー部材１４は後端下面で筐体部１０の下面にねじ込まれる。ねじ部材１４ｄによっても固定されている。
【００２８】
このような構成のリール本体２では、第１蓋部１１が軽量でかつ比強度が高いアルミニウム合金製であるので、マスターギア７が近接して配置され比較的大きな力が作用しやすい第１蓋部１１の比強度を高く維持して軽量化を図ることができる。またマスターギア７から遠くあまり大きな力が作用しにくい第２蓋部１２は合成樹脂を採用したので軽量化を図ることができる。さらに、筐体部１０がマグネシウム合金製であるので、リール本体２全体として、比強度を維持して軽量化を図ることができる。
【００２９】
ロータ駆動機構５は、ハンドル１のハンドル軸１ａがねじ込み固定されるマスターギア軸８と、マスターギア軸８に一体形成されたマスターギア７と、マスターギア７と噛み合うピニオンギア９とを備えている。
マスターギア軸８は、リール本体２の両蓋部１１，１２に形成された第１及び第２ボス部１１ｃ，１２ｃに装着された軸受１５ａ，１５ｂによりリール本体２に回転自在に装着されている。マスターギア軸８の両端内周部には、雌ねじ部８ａ，８ｂがそれぞれ形成されている。雌ねじ部８ａ，８ｂは、ハンドル１を糸巻取方向に回転したときねじが締まる方向のねじである。したがって、図２左側の雌ねじ部８ａは左ねじであり、右側の雌ねじ部８ｂは右ねじである。なお、ハンドル１は、図１及び図３に示す左位置と図２に示す右位置とのマスターギア軸８の両端の何れにも装着可能である。しかし、雌ねじ部８ａ，８ｂのねじ方向が異なるため、ハンドル軸１ａを左右に取り付ける場合、それぞれ専用のものが用意されている。なお、図２には左ハンドル用のハンドル軸１ａが図示されている。
【００３０】
ピニオンギア９は、中空筒状の部材であり、前部がロータ３を貫通してロータ３を回転不能に装着している。ピニオンギア９の内周部には、スプール軸１６が貫通して配置されている。ピニオンギア９の前部にはナット１７が装着されており、ナット１７によりロータ３がピニオンギア９に固定されている。ピニオンギア９は、その軸方向の中間部と後端部とがそれぞれ軸受１８ａ，１８ｂによりリール本体２の筐体部１０に回転自在に支持されている。軸受１８ａは、機構支持部１０ｂに装着され、軸受１８ｂは、中間支持部１０ｄに装着されている。ピニオンギア９の後端側に形成されたギア部９ｂには、環状の切欠き部９ｃが形成されている。この環状の切欠き部９ｃは、後述する減速機構２０をコンパクトに配置するために設けられている。
【００３１】
オシレーティング機構６は、図２及び図３に示すようにピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ，２３ｂを有している。
減速機構２０は、図５に示すように、ピニオンギア９に噛み合う大径ギア２５ａ及び小径ギア２５ｂを有する段付きギア部２５と、小径ギア２５ｂに噛み合う第１中間ギア２６ａ及び第１中間ギア２６ａと間隔を隔てて配置された第２中間ギア２６ｂとを有する中間軸２６と、螺軸２１に回転不能に装着され第２中間ギア２６ｂに噛み合う従動ギア２７とを備えている。
【００３２】
段付きギア部２５は、ピニオンギア９と平行な軸回りに回転する。大径ギア２５ａは、ピニオンギア９に噛み合うねじギアである。小径ギア２５ｂ、第１中間ギア２６ａ、第２中間ギア２６ｂ及び従動ギア２７は、ともにねじギアであり、中間軸２６は、段付きギア部２５と食い違う軸回りに回転し、従動ギア２７が装着された螺軸２１は、中間軸２６と食い違いかつピニオンギア９と平行な軸回りに回転する。中間軸２６の第２中間ギア２６ｂは、ピニオンギア９の切欠き部９ｃの下方に配置されている。これにより、切欠き部を形成しない場合に比べて螺軸２１をピニオンギア９に近接して配置させることができ、リール全体のコンパクト化を図ることができる。このような構成の減速機構２０では、ピニオンギア９の回転が大きく減速されて螺軸２１に伝達される。
【００３３】
螺軸２１は、表面に交差する螺旋状の溝２１ａが形成された部材であり、スプール軸１６と平行に配置されている。螺軸２１は、筐体部１０の前後端にたとえば合成樹脂製の軸受を介して回転自在に装着されている。螺軸２１は、筐体部１０の後方から装着され、筐体部１０の後面にねじ止め固定された固定板５４により抜け止めされている。
【００３４】
スライダ２２は、内部に螺軸２１の溝２１ａに係合する係合部材２２ａが装着されている。スライダ２２は、スプール軸１６の後端部に回転不能かつ移動不能に連結されている。スライダ２２は、係合部材２２ａの先端が溝２１ａに係合することにより、螺軸２１の回転に応じてスプール軸方向に往復移動し、スプール軸１６をハンドル１の回転に連動して往復移動させる。
【００３５】
ガイド軸２３ａ，２３ｂはスライダ２２を貫通しており、スライダ２２をスプール軸１６に沿って案内する。ガイド軸２３ａは、筐体部１０の後端と中間支持部１０ｄとに両端が固定されている。ガイド軸２３ａは、筐体部１０の後方から装着されており、螺軸２１を抜け止めする固定板５４により後端が抜け止めされている。ガイド軸２３ｂは、筐体部１０の前後端に両端が固定されている。ガイド軸２３ｂは筐体部１０の前方から装着されている。ガイド軸２３ｂの前部には、第１蓋部１１の前部を固定する固定ねじ１９が接触可能であり、この固定ねじ１９により抜け止めされている。
【００３６】
ロータ３は、釣り糸案内部が一方のロータアームにのみ装着された、いわゆるベールレスタイプのものである。
ロータ３は、図３及び図６から図８に示すように、ピニオンギア９を介してリール本体２に回転自在に装着されたロータ本体３０と、ロータ本体３０に揺動自在に装着された釣り糸案内部３１とを有している。
【００３７】
ロータ本体３０は、たとえば表面に陽極酸化被膜が形成されたマグネシウム合金製であり、筒状の支持部３２と、支持部３２の後端部外周面の対向する位置から支持部３２と間隔を隔ててそれぞれ前方に延びる第１及び第２ロータアーム３３，３４とを有している。
支持部３２は、後端から前方に向けてテーパ状に縮径した後に円筒状に形成された概ね筒状の部材である。支持部３２の前部には、前壁３２ａが形成されており、前壁３２ａの中央部にはピニオンギア９の前部が貫通するボス部３２ｂが形成されている。ボス部３２ｂは、ピニオンギア９の前部に回転不能に装着されている。前壁３２ａの前部でピニオンギア９の前部にはナット１７がねじ込まれており、このナット１７によりロータ３がピニオンギア９に固定されている。また、支持部３２の前部には、スプール軸１６への釣り糸の巻き付きを防止するための筒状の糸噛み防止部材３５が装着されている。
【００３８】
第１ロータアーム３３の先端には、釣り糸案内部３１が糸巻取姿勢と糸開放姿勢とに揺動自在に装着されている。第１ロータアーム３３の内部には、釣り糸案内部３１の揺動に連動して動作する連動機構４０が装着されている。第１ロータアーム３３の径方向外周側は第１カバー部材３６により覆われている。
第２ロータアーム３４は、第１ロータアーム３３と同様に前方に延びており、径方向外周側は、第２カバー部材３７により覆われている。第２ロータアーム３４は、ロータ３の回転バランスをとるために設けられたものである。このため、第２ロータアーム３４は、釣り糸案内部３１が装着された第１ロータアーム３３の重心位置に近づけるために重心位置を前方側に偏倚させている。重心位置を前方側に偏倚させるために、第２ロータアーム３４には基端側に開口部３４ａが形成されているとともに、先端側に重り３８を装着するための重り収納部３４ｂが形成されている。重り３８は、たとえばタングステン合金製である。また、第２ロータアーム３４は、重心を前方に偏倚させるために、図７及び図８から明らかなように、前方に延びる長さが第１ロータアーム３３より長くなっている。
【００３９】
ここで、図６に示すように、第１ロータアーム３３の釣り糸案内部３１の揺動軸芯を通る第１直線Ｌ１と第２ロータアーム３４の幅方向の中心を通りかつ第１直線Ｌ１と実質的に平行な第２直線Ｌ２とがロータ本体３０の回転軸芯Ｘを挟んで逆側に略同じ距離だけ離れて配置されるように、両ロータアーム３３，３４は形成されている。このように両ロータアーム３３，３４を配置すると、釣り糸案内部３１が回転軸芯Ｘに対して外側に偏倚（図６では第１直線Ｌ１に対して外側に偏倚）して配置されていても、回転バランスをさらに良好に維持することができる。
【００４０】
糸噛み防止部材３５は、支持部３２の円筒部分と面一に形成された円筒状の噛み込み防止部３５ａと、噛み込み防止部３５ａの後端部に中心に向けて対向して設けられた１対の舌状の装着部３５ｂとを有している。噛み込み防止部３５ａの先端は他の部分より大径に形成されており、これにより、スプール４内部に侵入した釣り糸がロータ３内に入らないようにしている。また、噛み込み防止部３５ａの先端内周面には、回転バランス補正用の重り３９を収納するための重り収納部３５ｃが形成されている。重り３９も、たとえばタングステン合金製である。なお、重り収納部３５ｃは、図３では、開示の便宜のため第２ロータアーム３４に近接した位置に形成されているが、実際には、図６に示すように後述釣り糸案内部３１が揺動する方向で両ロータアーム３３，３４の中間位置に配置されている。このように重り収納部３５ｃを配置することにより、釣り糸案内部３１が第１直線Ｌ１より回転軸芯Ｘからさらに離れる方向に偏倚して配置されていても、釣り糸案内部３１に対して回転軸芯Ｘと逆側に配置された重り３９により回転バランスを補正することができる。
【００４１】
糸噛み防止部材３５は、装着部３５ｂの前面から装着された２本のねじ部材２９，２９により前壁３２ａに固定されている。なお、前壁３２ａの前面は糸噛み防止部材３５を装着した状態で、装着部３５ｂを含めて環状の平坦面となっている。装着部３５ｂを含めた平坦面を前壁３２ａの前面に形成するために、前壁３２ａには、舌状の装着部３５ｂが入り込む凹部３２ｃが形成されている。これにより、スプール４側から異物が入り込んで付着しても、スプール４を外せば異物をふき取りなどして除去しやすい構造となっている。
【００４２】
釣り糸案内部３１は、図６〜図８に示すように、第１ロータアーム３３の先端に装着された支持部材４１と、支持部材４１の先端に基端が固定された固定軸４２と、固定軸４２に回転自在に装着され釣り糸を案内可能なラインローラ４３と、固定軸４２の先端に設けられた固定軸カバー４４と、固定軸カバー４４の先端に設けられ釣り糸を係止する釣り糸係止部４５とを有している。
【００４３】
支持部材４１は、先端に糸巻取姿勢と糸開放姿勢とに揺動自在に装着されている。固定軸４２は、支持部材４１の先端に基端が回転不能に係止され、取付ボルト４２ａにより支持部材４１に固定される。固定軸４２の外周には、ラインローラ４３が１対の軸受４６を介して回転自在に装着されている。ラインローラ４３は、外周面に釣り糸を案内する環状の案内溝４７が形成されており、糸ヨレが生じにくいようになっている。また、ラインローラ４３の外周面の両端は、支持部材４１及び固定軸カバー４４により覆われている。
【００４４】
固定軸カバー４４は、固定軸４２の先端に設けられ、固定軸の軸芯Ｙ１より頂点４４ｂが後方かつロータ３の回転中心側に向かって偏芯した略円錐形状の部材である。固定軸カバー４４の後面側の稜線近傍の図７にハッチングで示す領域がラインローラ４３に釣り糸を案内する釣り糸案内面４４ｃとなっている。固定軸カバー４４の前面には、他の部分より凹んだつまみ凹部４４ａが形成されている。このようなつまみ凹部４４ａを設けると釣り糸案内部３１を糸巻取姿勢から糸開放姿勢に戻す際に便利である。釣り糸係止部４５は、頂点４４ｂの手前側で稜線と滑らかにと滑らかに連続して頂点４４ｂから突出し先端が他の部分より太く形成されている。釣り糸係止部４５の先端は球状に丸められている。
【００４５】
このような構成の釣り糸案内部３１は、釣り糸係止部４５の先端が他の部分より太いので一度釣り糸が釣り糸係止部４５に係止されると外れにくくなる。また、釣り糸係止部４５及び固定軸カバー４４の頂点４４ｂが後方に傾いているので、釣り糸係止部４５に係止された釣り糸が釣り糸案内面によりラインローラ４３の案内溝４７に確実に案内される。
【００４６】
ロータ３は、図３に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の操作支持部１０ｃ及び中間支持部１０ｄに揺動自在に支持されている。
【００４７】
図９に示すように、スプール軸１６の先端には、雄ねじ部１６ａと、互いに平行に切り欠かれた面取り部１６ｂとが形成されており、スプール４は、雄ねじ部１６ａに螺合する着脱ナット５５により、スプール軸１６に回転不能かつ着脱自在に装着されている。
スプール４は、図３に示すように、浅溝形のものであり、外周に釣り糸が巻き付けられる糸巻き胴部４ａと、糸巻き胴部４ａの後端部に糸巻き胴部４ａより大径に形成された筒状のスカート部４ｂと、糸巻き胴部４ａの先端部に糸巻き胴部４ａより僅かに大径に形成された前フランジ部４ｃとを備えている。
【００４８】
糸巻き胴部４ａは、スプール軸１６に対して回転不能であり、ロータ３の支持部３２及び糸噛み防止部材３５の外周側に配置されている。糸巻き胴部４ａは、先端側内周に一体形成された前壁部４ｄと、前壁部４ｄの内周側に後方に突出して一体形成されたボス部４ｅとを有している。前壁部４ｄには、軽量化を図るために多数の透孔４ｇが形成されている。
【００４９】
ボス部４ｅは、図９に示すように、外形が正六角形の形状をしている。ボス部４ｅは、スプール軸１６に回転自在に装着されており、取付部材５６によりスプール軸１６に回転不能に装着される。取付部材５６は、ボス部４ｅを回転不能に係止するボス係止部材５７と、ボス係止部材５７をスプール軸１６に対して回転不能にする係止部材５８とを有している。ボス係止部材５７は、ボス部４ｅと対向する前面５７ａに１２角の星形断面の係止凹部５７ｂを有しているとともに、後面５７ｃに係止部材５８に係合する４つの円形の係止突起５７ｄを有している。係止部材５８は、円板状の部材であり、スプール軸１６の面取り部１６ｂに係合するスリット５８ａを中心に有している。また、外周面に係止突起５７ｄに係合する４つの係止溝５８ｂを有している。面取り部１６ｂにスリット５８ａをはめ込むことにより係止部材５８はスプール軸１６に回転不能に装着される。また、係止溝５８ｂに係止突起５７ｄを係止させることで、ボス係止部材５７がスプール軸１６に対して回転不能になる。なお、ボス係止部材５７の係止凹部５７ｂには、弾性体製のワッシャ部材５９が装着されている。ワッシャ部材５９は、スプール軸１６の外形より僅かに小さい内径の孔部５９ａを有しており、孔部５９ａをスプール軸１６に装着することにより、ボス係止部材５７及び係止部材５８のスプール軸１６に対する前後移動を規制している。
【００５０】
このような星形断面の係止凹部５７ｂで六角形断面のボス部４ｅを係止させることにより、３０度間隔の回転位相でスプール４をスプール軸１６に回転不能に装着できる。これにより、着脱ナット５５を緩めるだけでスプール４を回すことができ、ロータ３を回転させることなく仕掛けの垂らし長さを調整できる。
スカート部４ｂには、図１に示すように、軽量化を図るために内径が異なる多数の透孔４ｆが形成されている。前フランジ部４ｃには、糸巻き胴部４ａの外周面から僅かに前方に拡径するテーパ状の外周面を有している。これによりキャスティング時に釣り糸に作用する放出抵抗が大きく減少する。
【００５１】
次にスピニングリールの動作について説明する。
なお、動作の説明では右手でキャスティングする場合を説明する。キャスティングの際には、釣り糸案内部３１を糸巻取姿勢にして釣り糸を釣り糸案内部３１に引っ掛けた状態にして仕掛けの垂らし長さを調整する。
まずハンドル１を糸巻取方向に回してスプール４をストロークの最先端近くに配置した状態で釣り糸案内部３１が所定の回転位相となるようにする。具体的には、釣り糸案内部３１の操作のしやすさや釣り糸のつまみやすさを考慮し、たとえば、右手でキャスティングするときには釣り糸案内部３１を釣り竿側から見てスプール４の左側に配置すると釣り糸案内部３１を左手で操作しやすい。
【００５２】
仕掛けの垂らし長さを変更する際には、着脱ナット５５を緩めてスプール４を前方に移動させてボス部４ｅとボス係止部材５７との係合を解除する。この状態でスプール４を回して仕掛けの垂らし長さを適当な位置に調整する。垂らし長さを調整したらスプール４を後方に移動させてボス部４ｅをボス係止部材５７に係止させる。このとき、ボス部４ｅは３０度毎にボス係止部材５７に係合するので、仕掛けの垂らし長さを細かく調整できる。そして着脱ナット５５を締めて垂らし長さの調整を終わる。
【００５３】
この状態で左手（釣り竿を持つ手の逆の手）の指先で釣り糸案内部３１の固定軸カバー４４をつまんで釣り糸案内部３１を糸開放姿勢に揺動させる。このとき、固定軸カバー４４につまみ凹部４４ａが形成されているので、固定軸カバー４４をつまみやすくなり、釣り糸案内部３１をつまんで簡単に揺動させることができる。そして、スプール４に巻き付けられた釣り糸を、左手でつまんで釣り竿を右手の人差し指で引っ掛けてキャスティングする。
【００５４】
キャスティングが終わると、左手で釣り糸案内部３１を糸開放姿勢から糸巻取姿勢に戻し、左手で釣り糸をつまんで釣り糸案内部３１の釣り糸係止部４５に係止する。釣り糸係止部４５に係止された釣り糸は、固定軸カバー４４の釣り糸案内面４４ｃを通ってラインローラ４３の案内溝４７に案内される。この状態でハンドル１を糸巻取方向に僅かに回転させて釣り糸にわずかにテンションをかけて置き竿する。
【００５５】
仕掛けに獲物がかかってハンドル１を回すとロータ３が糸巻取方向に回転するとともにスプール４が前後移動する。このとき、ハンドル１の回転はマスターギア軸８を介してマスターギア７に伝達され、ピニオンギア９を介してロータ３が回転する。また、ピニオンギア９から減速機構２０を介してオシレーティング機構６が動作してスプール４が前後移動する。この巻取時、獲物が大きくマスターギア７に大きな力が作用しても、マスターギア７が近接して配置された第１蓋部１１は、アルミニウム合金製であるため、比強度を高く維持できる。しかも、第１蓋部１２は合成樹脂製であり、筐体部１０はマグネシウム合金製であるから軽量化を図ることができる。
【００５６】
ここでは、第１蓋部１１をたとえば金属のうちでも比重が小さい軽合金製にすることにより、マスターギア７が近接して配置され比較的大きな力が作用しやすい第１蓋部１１の比強度を高く維持して軽量化を図ることができる。またマスターギア７から遠くあまり大きな力が作用しにくい第２蓋部１２は合成樹脂を採用して軽量化を図ることができる。このため、リール本体２全体として、比強度を維持して軽量化を図ることができる。
【００５７】
〔他の実施形態〕
（ａ）前記実施形態では、釣り糸案内部３１がベールレス型のスピニングリールを例に本発明に係るリール本体を説明した。しかし、本発明は、釣り糸案内部が第１及び第２ロータアームの先端に揺動自在に装着された第１及び第２ベール支持部材と固定軸カバーと第２ベール支持部材とを連結するベールとを有する、いわゆるベールアームを有する一般的なスピニングリールのリール本体にも適用できる。
【００５８】
（ｂ）前記実施形態では、第１及び第２蓋部１１，１２の双方に切欠き部１１ｂ，１２ｂを形成したが、比較的軽量な合成樹脂製の第２蓋部１２に第２切欠き部を設けなくてもよい。
（ｃ）前記実施形態では、筐体部１０をマグネシウム合金製としたが、筐体部１０の材質はマグネシウム合金に限定されずアルミニウム合金やチタン合金などの軽量で比強度が高い金属やガラス繊維強化ナイロンや炭素繊維強化樹脂などの比強度が高く軽量な合成樹脂であってもよい。
【００５９】
（ｄ）前記実施形態では、第１蓋部１１の材質をアルミニウム合金製としたが、第１蓋部１１の材質はチタン合金などの軽量で比強度が高い金属であればどのようなものでもよい。
（ｅ）前記実施形態では、竿取付部１３を筐体部１０と一体形成したが、図１０に示すように、筐体部１１０ではなく第１蓋部１１１と竿取付部１１３とを一体形成してもよい。また、前記実施形態では、第１及び第２蓋部１１，１２にボス部１１ｃ，１２ｃを設けてマスターギア軸を支持した。しかし、この実施形態では、マスターギア１０７が一体に形成されたマスターギア軸１０８を片持ち支持する筒状のボス部１１１ｃが第１蓋部１１１に設けられている。マスターギア軸１０８は、ボス部１１１ｃに間隔を隔てて配置された１対の軸受１１５ａ，１１５ｂによりボス部１１１ｃに回転自在に支持されている。この場合、第２蓋部１１２にはボス部が設けられていないため、滑らかな外観になる。さらに、この実施形態では、第２蓋部１１２と筐体部１１０とをたとえば合成樹脂製やマグネシウム合金などの軽金属で一体形成している。ただし、第１及び第２蓋部１１１，１１２には第１及び第２カバー部や第１及び第２切欠き部が設けられている。なお、図示はしないが、マスターギア軸を両端支持する構成でリール本体を２分割構成としてもよい。
【００６０】
【発明の効果】
本発明によれば、カバー部材と第１及び第２蓋部とが重複する部分において、比強度を高く維持する必要があるマスターギアを覆う部分を除く部分に第１切欠き部を設けているので、蓋部を切り欠いた分だけ軽量化を図ることができる。しかもカバー部材で第１切欠き部が覆われているので、リール本体の傷つきも防止できる。
【図面の簡単な説明】
【図１】本発明の一実施形態を採用したスピニングリールの側面図。
【図２】そのスピニングリールの背面断面図。
【図３】そのスピニングリールの側面断面図。
【図４】リール本体の分解斜視図。
【図５】減速機構の斜視図。
【図６】ロータの正面図。
【図７】ロータの右側面図。
【図８】ロータの左側面図。
【図９】スプールの取付構造を示す分解斜視図。
【図１０】他の実施形態の図２に相当する図。
【符号の説明】
１  ハンドル
２  リール本体
３  ロータ
４  スプール
７，１０７  マスターギア
８，１０８  マスターギア軸
１０，１１０  筐体部
１０ａ
１１，１１１  第１蓋部
１１ａ  第１カバー部
１１ｂ  第１切欠き部
１１ｃ  第１ボス部
１２  第２蓋部
１２ａ  第２カバー部
１２ｂ  第２切欠き部
１２ｃ  第２ボス部
１３  竿取付部
１４  カバー部材
１９  固定ねじ
１１１ｃ  ボス部
【図１】
2004236568.tif 000003
【図２】
2004236568.tif 000004
【図３】
2004236568.tif 000005
【図４】
2004236568.tif 000006
【図５】
2004236568.tif 000007
【図６】
2004236568.tif 000008
【図７】
2004236568.tif 000009
【図８】
2004236568.tif 000010
【図９】
2004236568.tif 000011
【図１０】
2004236568.tif 000012